(57)【要約】本方法は、信号のオーディオ成分を受信して復号化し２０１、入力信号に基づいてモノ信号として第一のプライマリオーディオ成分及び第二のＳＡＰの記録をイネーブルにし２０３、更に、第一のプライマリオーディオのみが前記信号に含まれるとき、ステレオとして第一のプライマリの記録をイネーブルにする２０５。
2007513444.tif 000002
【特許請求の範囲】
【請求項１】
信号のオーディオ成分を受信するステップと、
モノオーディオ成分として前記信号の第一のオーディオ成分の記録をイネーブルにし、第二のモノオーディオ成分として前記信号の第二のオーディオ成分の記録をイネーブルにするステップと、
前記第一のオーディオ成分のみが前記信号に含まれるとき、ステレオオーディオ成分として前記第一のオーディオ成分の記録をイネーブルにするステップと、
を含むことを特徴とする方法。
【請求項２】
前記第一のオーディオ成分は、ビデオプログラムコンテンツのプライマリオーディオ成分を含む、
請求項１記載の方法。
【請求項３】
前記第二のオーディオコンポーネントは、セカンダリオーディオプログラムコンテンツを含む、
請求項１記載の方法。
【請求項４】
モノオーディオ成分である前記第一のオーディオ成分のみが前記信号に含まれるとき、モノオーディオ成分として前記第一のオーディオ成分の記録をイネーブルにするステップを更に含む、
請求項１記載の方法。
【請求項５】
前記第一のオーディオ成分と前記第二のオーディオ成分のそれぞれが記録されたとき、符号化されたモノオーディオストリームとして記録される、
請求項１記載の方法。
【請求項６】
前記第一のオーディオ成分のみが前記信号から利用可能であるとき、前記第一のオーディオ成分は、モノ符号化ステレオストリームとして記録される、
請求項１記載の方法。
【請求項７】
信号のオーディオ成分を受信するステップと、
モノオーディオ成分として前記信号の第一のオーディオ成分の記録をイネーブルにし、第二のモノオーディオ成分として前記信号の第二のオーディオ成分の記録をイネーブルにするステップと、
前記第一のオーディオ成分のみが前記信号に含まれるとき、ステレオオーディオ成分として前記第一のオーディオ成分の記録をイネーブルにするステップと、
を実行するための記録装置におけるコントローラ。
【請求項８】
前記第一のオーディオ成分は、ビデオプログラムコンテンツのプライマリオーディオ成分を含む、
請求項７記載の方法。
【請求項９】
前記第二のオーディオ成分は、セカンダリオーディオプログラムコンテンツを含む、
請求項７記載の方法。
【請求項１０】
モノオーディオ成分である前記第一のオーディオ成分のみが前記信号に含まれるとき、モノオーディオ成分として前記第一のオーディオ成分の記録をイネーブルにするステップを更に含む、
請求項７記載の方法。
【請求項１１】
前記第一のオーディオ成分と前記第二のオーディオ成分のそれぞれが記録されたとき、符号化モノオーディオストリームとして記録される、
請求項７記載の方法。
【請求項１２】
前記第一のオーディオ成分のみが前記信号から利用可能であるとき、前記第一のオーディオ成分は、モノ符号化ステレオストリームとして記録される、
請求項７記載の方法。
【請求項１３】
ブロードキャスト信号を受信するステップと、
モノオーディオ符号化ストリームとして前記ブロードキャスト信号のプライマリオーディオ成分を記録し、前記プライマリオーディオ及び前記セカンダリオーディオプログラム成分の両者が前記ブロードキャスト信号にあり、記録されるように選択されたときに、第二のモノ符号化ストリームとして前記ブロードキャスト信号のセカンダリオーディオプログラム成分を記録するステップと、
前記プライマリオーディオ成分のみがステレオオーディオ信号として前記ブロードキャスト信号にあるとき、ステレオ符号化ストリームとして前記ブロードキャスト信号の前記プライマリオーディオ成分を記録するステップと、
を含むことを特徴とする方法。
【請求項１４】
前記プライマリオーディオ成分のみがモノオーディオ信号としてブロードキャスト信号にあるとき、モノ符号化ストリームとして前記ブロードキャスト信号の前記プライマリオーディオ成分を記録するステップを更に含む、
請求項１３記載の方法。
【発明の詳細な説明】
【技術分野】
【０００１】
本発明は、ＤＶＤレコーディング全般に関し、より詳細には、ＮＴＳＣ信号からのプライマリ信号とＳＡＰ信号を記録媒体に記録することに関する。
【背景技術】
【０００２】
セカンダリオーディオプログラム信号は、テレビジョン信号及びそのプライマリオーディオに加えてブロードキャストされる。第二のチャネルは、ＳＡＰ（Ｓｅｃｏｎｄ  Ａｕｄｉｏ  Ｐｒｏｇｒａｍ）として知られており、モノラルであって、比較的ローファイ（lo-fi）である。ＳＡＰは、テレビジョン、ＳＡＰ信号を受信するために設けられるステレオＶＣＲ、又はＳＡＰレシーバのいずれかを通してイネーブルにされる場合がある。セカンダリオーディオプログラムチャネルは、視覚的に障害のある視聴者により使用される、アクションを記述するか、対話で反応される、プログラムキーのビジュアルエレメントの「ビデオディスクリプション（video discription）」を提供することを含む、多様な拡張プログラミングのために使用される場合がある。記述のボイスオーバ（descriptive voice-over）は、対話、音楽及び音楽の作用を干渉しないように、プログラムに自然のポーズで挿入される。多くの映画及びＴＶプログラムには、セカンダリオーディオプログラムチャネルを通して提供される拡張された記述が提供される。政府機関は、耳が聞こえない、又は聴覚に障害のある人々のためにそれらのビデオ及びマルチメディアプレゼンテーションに見出しをつけ、目が見えない、又は視覚に障害のある人々についてそれら同じプレゼンテーションを記述する必要がある。セカンダリオーディオプログラムチャネルにより、英語以外の言語でそれらのプログラムをブロードキャスタが提供することを可能にし、天気予報又は他の形式の「リアルタイム情報」を受信するために使用される場合がある。
【０００３】
最も標準的なステレオテレビジョンＴＶ、ビデオカセットレコーダＶＣＲのデジタルビデオディスクレコーダＤＶＤ＋Ｒには、セカンダリオーディオプログラムＳＡＰコンテンツを受信するのを可能にする機能が設けられている。これは、通常、制御パネル又はリモートコントロール上のボタン／スイッチであり、ＳＡＰ，ＭＴＳ，Ａｕｄｉｏ２，又はＡｕｄｉｏＢで一般的にはラベル付けされる。現在、消費者は、２つのオーディオ信号のうちのどちらがデジタルビデオディスクレコーダにより記録されたビデオと共に記録されるかを前もって選択する必要がある。消費者は、ビデオプログラムと共にブロードキャストされたセカンダリオーディオプログラムコンテンツがビデオプログラムコンテンツに関連されるプライマリオーディオコンテンツを記憶しないのを犠牲にして記録するのが望まれるかを前もって知ることはできない。
【発明の開示】
【発明が解決しようとする課題】
【０００４】
したがって、ビデオプログラムに関連されるプライマリオーディオ信号コンテンツとセカンダリオーディオプログラムコンテンツとの両者が記録されるのを可能にする必要があり、消費者が記録の再生の間にプライマリ及びセカンダリオーディオコンテンツを選択することができることが必要である。
【課題を解決するための手段】
【０００５】
本方法は、信号のオーディオ成分を受けるステップ、モノオーディオ成分として信号の第一のオーディオ成分を記録し、第二のモノオーディオ成分として信号の第二のオーディオ成分を記録するのを可能にするステップ、及び、第一のオーディオ成分のみが信号に含まれるとき、ステレオオーディオ成分として第一のオーディオ成分の記録を可能にするステップを含む。
【０００６】
記録装置におけるコントローラは、信号のオーディオ成分を受けるステップ、モノオーディオ成分として信号の第一のオーディオ成分の記録と、第二のモノオーディオ成分として信号の第二のオーディオ成分の記録とを可能にするステップ、及び、第一のオーディオ成分のみが信号に含まれるときにステレオオーディオ成分として第一のオーディオ成分の記録を可能にするステップをイネーブルにする。
【０００７】
本方法は、ブロードキャスト信号を受けるステップ、モノオーディオ符号化ストリームとしてブロードキャスト信号のプライマリオーディオ成分を記録し、プライマリオーディオ及びセカンダリオーディオプログラム成分の両者がブロードキャスト信号にあり、記録されるべきと選択されたときに、第二のモノ符号化ストリームとしてブロードキャスト信号のセカンダリオーディオプログラムコンポーネントを記録するステップ、及び、プライマリオーディオコンポーネントのみがステレオオーディオ信号としてブロードキャスト信号にあるとき、ステレオ符号化ストリームとしてブロードキャスト信号のプライマリオーディオコンポーネントの記録するステップを含む。
【発明を実施するための最良の形態】
【０００８】
本発明の更に完全な理解は、添付図面と共に以下の説明を考慮することで得られるであろう。理解を容易にするため、図面に共通な同一のエレメントを示すため、同一の参照符号が使用されている。
【０００９】
図１は、ブロードキャスト信号に設けられるプライマリオーディオコンテンツとセカンダリオーディオプログラムコンテンツの両者の本発明の記録を実行するための例示的なデジタルビデオディスクレコーダのコンフィギュレーション１００を示している。ブロードキャスト信号は、チューナブロック１０２で受信され、ここでビデオ及びオーディオコンテンツがデコードされ、オーディオコンテンツは、ビデオ、ビデオに関連するオーディオの左及び右ステレオ成分、並びに、セカンダリオーディオプログラムコンテンツを提供するためにデジタル化される。デコードされたビデオ及びデジタル化されたステレオオーディオ、並びにセカンダリオーディオプログラム成分は、オーディオ／ビデオ圧縮エンコーダブロック１０３で圧縮され、符号化される。コントローラブロック１０１は、ディスクドライブ１０４によるディスクメディア１１０への圧縮かつ符号化されたビデオの記録、プライマリ左及び右のオーディオ成分、及び、セカンダリオーディオプログラムコンテンツの記録を制御する。ＤＶＤレコーダのコントローラが、利用可能であるときにセカンダリオーディオプログラムコンテンツを自動的に記録するために設定されている場合、ＤＶＤレコーダは、モノ符号化されたストリームとしてプライマリオーディオを記録し、セカンダリオーディオプログラムコンテンツを第二の、個別のモノ符号化されたオーディオストリームとして記録する。ＳＡＰオーディオがブロードキャストされないケースでは、ＤＶＤレコーダのコントローラ１０１は、プライマリオーディオをステレオ又はモノ（ステレオがブロードキャストされない場合）符号化ストリームのいずれかとして記憶するのを可能にする。ユーザが、セカンダリオーディオプログラムコンテンツを記録するようにＤＶＤレコーダを設定する場合、コントローラは、ステレオ又はモノ符号化ストリームのいずれかとしてディスクドライブ１０４によりプライマリオーディオが記録されるのを可能にする。
【００１０】
コントローラ１０１によりイネーブルにされた、プライバックモードの間、記録されたビデオ及びオーディオは、オーディオ／ビデオ圧縮デコーダブロック１０５でデコードされ、このブロックから、ディスプレイ装置１０８で視聴するためにビデオコンテンツが符号化される。オーディオ／ビデオデコーダブロック１０５からの記録されたオーディオは、アナログ形式に変換され、スピーカにより再生される。プライマリステレオオーディオ及びセカンダリオーディオプログラムコンテンツの両者が利用可能かつ記録された場合、それぞれのオーディオ成分は、モノオーディオコンテンツとしてスピーカ１０９での再生の間に利用可能である。セカンダリオーディオプログラムがビデオコンテンツの記録の間の利用可能でなかった場合、プライマリオーディオ信号は、スピーカ１０９への左及び右のオーディオ出力での再生のためにステレオの左及び右成分として記録される。セカンダリオーディオプログラムコンテンツが利用可能ではなく、プライマリオーディオがモノオーディオ信号としてブロードキャストされた場合、モノオーディオ信号は、記録され、モノオーディオ信号としてディスクレコーダからのプレイバックのために利用可能である。
【００１１】
図２を参照して、ブロードキャストビデオプログラミングに関連するプライマリオーディオコンテンツ及びセカンダリオーディオプログラムコンテンツの記録を制御するための方法に関するフローチャート２００が示されている。デコードされたビデオ及びオーディオ信号２０１がセカンダリオーディオプログラムコンテンツ２０２を含む場合、ディスクドライブは、プライマリオーディオ及びセカンダリオーディオＳＡＰをそれぞれモノ符号化ストリームとして記録するために制御される。セカンダリオーディオプログラムＳＡＰ信号がデコードのために存在せず、プライマリオーディオ信号が受信され、ビデオブロードキャストへのステレオ左及び右のオーディオコンポーネント２０４としてデコードされたとき、プライマリオーディオは、符号化された左及び右のオーディオ成分２０５としてディスクドライブにより記録される。プライマリオーディオがビデオブロードキャストにモノラルオーディオ成分としてブロードキャストされたとき、オーディオは、モノ符号化ストリーム２０６として記録される。
【００１２】
本発明の教示を組み込んだ様々な実施の形態がデジタルビデオディスクレコーダの環境で詳細に図示及び記載されたが、当業者であれば、これら教示に組み込んだ多くの他の変形の実施の形態を容易に考案することができるであろう。
【図面の簡単な説明】
【００１３】
【図１】ブロードキャスト信号に設けられるプライマリオーディオコンテンツ及びセカンダリオーディオプログラムコンテンツの両者の本発明の記録を実行するための例示的なデジタルビデオディスクレコーダの構成を示す図である。
【図２】ブロードキャスト信号に設けられるプライマリオーディオコンテンツ及びセカンダリオーディオプログラムコンテンツの両者の本発明の記録を実行するための方法のフローチャートである。
【図１】
2007513444.tif 000003
【図２】
2007513444.tif 000004
【国際調査報告】
2007513444.tif 000005